(57)【要約】      （修正有）【課題】通電せずに流路の切換テストができる電磁弁を提供する。【解決手段】三方弁の切り替えを行う弁体４４を電磁操作部３０で作動させる電磁弁において、弁体４４周囲を流路とする弁室４０２に連通するポートＡ、該弁体に相対してポートＰに連通する貫通孔４３２１及びポートＥに挿通する開口をそれぞれ設け、手動つまみ５０により弾性部材５４２の弾発力に抗して押圧されて軸方向に移動する押しつまみ５４により、該弁体４４を押圧移動操作することにより、貫通孔４３２１及びポートＥに挿通する開口に押圧閉塞、開放せしめて弁の作動による各ポートへの流通動作を確認可能とした。【選択図】図４
0003188911.tif 000002
【実用新案登録請求の範囲】
【請求項１】
電磁操作部、該電磁操作部により弁体を軸方向に作動してポートＡ，Ｐ及びＥの３方向のポートへの流路に切り替えを行う主弁部、及び電磁操作部の反対側に配置されて前記弁体の操作を行う手動制御つまみとから構成され、
前記電磁操作部は、
外周にコイルを巻いた中空筒体内に固定鉄心および可動鉄心を配置し、
前記可動鉄心内に設けた凹溝内に弾性部材を収納して、該凹溝の一端を介して該可動鉄心と相対して配置された前記固定鉄心との間で弾性的押圧力を作用させて、前記固定鉄心の磁力により該弾性的押圧力に抗して前記弁体を動作せしめるようにし、
前記主弁部は、
前記弁体を収容してその周囲を流路とする弁室を上記ポートＡと連通して設けると共に、
該弁室を挟んで電磁操作部と反対側に上記弁体に相対する貫通孔を設けた固定部を設け、また、電磁操作部側には上記弁体と相対する開口を設けて、それぞれポートＰ及びポートＥに連通せしめ、
前記手動制御つまみは、
上記固定部内に上記弁体に向けて移動操作可能な押しつまみを配置して上記弁体を上記固定部に設けた貫通孔と開口との間で移動操作することによりそれぞれ閉塞、開放可能に配置し、
該押しつまみと固定部との間に弾性体を介してその弾発力に抗して押圧操作することによって、さらに上記弁体と固定部との間に弁体リセットスプリングの弾発力に抗して該弁体を上記固定部に設けた開口を押圧閉塞せしめてポートＥの流路を閉塞せしめると共に固定部材の上記貫通孔と該弁体との間を開放してポートＰを上記貫通孔から弁室を介してポートＡに連通し、
逆に、押しつまみを押圧操作から解放することにより、押しつまみの位置を復元する共に上記弁体リセットスプリングにより弁体を上記固定部の貫通孔を押圧閉塞する位置に復元させてポートＰに連通する貫通孔を閉塞すると共に固定部の上記開口を開放してポートＡから弁室を介してポートＥに連通せしめるように、
構成したことを特徴とする電磁弁。
【請求項２】
前記電磁操作部は、収納空間を設けて、該空間内に配置する回路基板を位置決めする位置決め柱を設けたことを特徴とする請求項１に記載の電磁弁。
【請求項３】
上記回路基板を上記収納空間内に上記位置決め柱と相互に嵌合して配置したことを特徴とする請求項２に記載の電磁弁。
【請求項４】
前記主弁部は、前記手動操作を行うつまみを覆う保護カバーを枢着部を介して設けたことを特徴とする請求項１に記載の電磁弁。
【考案の詳細な説明】
【技術分野】
【０００１】
本考案は、電磁弁に関し、特に、通電せずに流路の切換テストを行なう電磁弁に関する。
【背景技術】
【０００２】
図１を参照する。図１は、従来技術による電磁弁を示す斜視図である。従来技術の電磁弁は、主弁部１０、電磁操作部２０、磁性板２２、固定鉄心２４、可動鉄心２５および鉄心リセットスプリング２６１を含む。主弁部１０は、流路を切り換えるのに用いられる弁体１１を設けている。電磁操作部２０は、主弁部１０の弁体１１を操作するのに用いられる。また、電磁操作部２０は、ソレノイドカバー２３内に中空筒体２１を設けている。コイル２１１は、中空筒体２１外周を巻回している。磁性板２２は、中空筒体２１内の内部空間２１に連通している。固定鉄心２４は、中空筒体２１の内部空間２１２内に固定されている。また、固定鉄心２４は、ソレノイドカバー２３と相互に磁気結合している。可動鉄心２５は、スプリング座部２６を有する。また、可動鉄心２５は、中空筒体２１と磁性板２２の２１２との間に動くように設けられている。そのため、中空筒体２１内のコイル２１１に通電すると、磁気引力が発生し、可動鉄心２５と固定鉄心２４とを相互に吸着させ、中空筒体２１の内部空間２１２と弁室１０１を相互に貫通させ、電磁弁の弁体１１を駆動させることができる。鉄心リセットスプリング２６１は、可動鉄心２５と相互に嵌設している。また、鉄心リセットスプリング２６１は、可動鉄心２５のスプリング座部２６と相互に押し合いことにより、コイル２１１の非通電状態において、図１の左半分のように、可動鉄心２５を固定鉄心２４と離れた初期位置に戻す。
つまり、可動鉄心２５が押し棒２７を押すことにより、弁体１１が供給弁座２８を強く押さえると、供給孔１２が閉鎖され、それと同時に排出孔１３が開放され、ＡポートＡおよびＥポートＥが弁室１０１を介して相互に連通する。これと反対に、コイル２１１が通電状態にあると、図１の右半分のように、可動鉄心２５が固定鉄心２４に吸着されると、作動位置に配置され、弁体リセットスプリング１１１の弾性により弁体１１を弁座２８に押し付けることにより供給孔１２が開放され、排出孔１３が閉鎖される。これにより、ＰポートＰおよびＡポートＡが弁室１０１を介して相互に連通し、流路の切換が行なわれる。
【０００３】
従来の電磁弁は、弁室を駆動させて目的を達成するが、弁室が駆動させる際、中空筒体およびコイルが通電しなければ、固定鉄心が磁力を発生せず、可動鉄心を吸着しない。そのため、電磁弁が未使用場合、あらかじめ通電しなければ流路の切換テストができず、電磁弁のテストが不便であった。また、電磁弁を通電して用いる際に、可動鉄心および固定鉄心の電磁吸引力不足が起こりやすく、機械の損傷を起こしてしまう恐れがあった。
【０００４】
本考案の電磁弁は、従来からの課題であった上記の短所を改善するものである。
【先行技術文献】
【特許文献】
【０００５】
【特許文献１】特公平０４−４５７１４号公報
【考案の概要】
【考案が解決しようとする課題】
【０００６】
本考案の目的は、通電せずに流路の切換テストを行なう電磁弁を提供することにある。
【課題を解決するための手段】
【０００７】
本考案は、上述の目的を達成する電磁弁を提供する。本考案の電磁弁は、電磁操作部、主弁部、手動制御つまみおよびカバーを含む。電磁操作部は、コイルに巻かれた中空筒体を内部に有する。中空筒体は、固定鉄心および可動鉄心を内部に有する。主弁部は、電磁操作部に結合している。また、位置決め部を設け、固定部を有する中空部と、弁体を有する弁室とを相互に連通した状態で内部に有する。手動制御つまみは、中空部内に設けられている。ユーザーは、手動制御つまみを回すことにより、通電せずに弁体の流路を切り換えテストを行なうことができる。
【考案の効果】
【０００８】
本考案の電磁弁は、手動制御つまみを押すことにより押しつまみの位置決め棒が連動して弁体と押し合い、流路切換が行なわれるため、電磁弁をテストする場合、あらかじめ通電する必要がなく、非常に便利である。また、手動制御つまみは、主弁部の保護カバーと相互に押し合っているため、不注意で弁体に触れたとしても流路切換の誤作動を防ぎ、安全性の向上させることができる。
【図面の簡単な説明】
【０００９】
【図１】従来技術による電磁弁を示す斜視図である。
【図２】本考案の一実施形態による電磁弁を示す分解斜視図である。
【図３】本考案の一実施形態による電磁弁を示す斜視図である。
【図４】本考案の一実施形態による電磁弁を示す断面図である。
【図５】本考案の一実施形態による電磁弁の動作状態を示す断面図である。
【図６】手動制御回転つまみの動作前の状態を示す斜視図である。
【図７】手動制御回転つまみの動作後に、押しつまみの位置決め棒が弁体を押し付けている状態を示す斜視図である。
【図８】弁部材の動作後の状態を示す断面図である。
【図９】電磁弁のカバーを示す斜視図である。
【考案を実施するための形態】
【００１０】
以下、本考案の実施形態を図面に基づいて説明する。
【００１１】
図２および図３を参照する。図２は、本考案の一実施形態による電磁弁を示す分解斜視図である。図３は、本考案の一実施形態による電磁弁を示す斜視図である。図に示すように、本考案の電磁弁は、電磁操作部３０、主弁部４０、手動制御つまみ５０およびカバー６０を含む。
【００１２】
図２〜４を参照する。図４は、本考案の一実施形態による電磁弁を示す断面図である。図２〜４に示すように、電磁操作部３０は、コイル３１１を外周に巻いた中空筒体３１を内部に有する。中空筒体３１は、固定鉄心３２および可動鉄心３３を内部に有する。可動鉄心３３は、凹溝３３１を設けて弾性部材３３２を該凹溝３３１内に配置する。
また、弾性部材３３２は、一方の端部が凹溝３３１一端に当接し、他方の端部が固定鉄心３２と弾性を有しながら相互に押し合っている。可動鉄心３３と中空筒体３１との間には、間隙３１０がある。電磁操作部３０は、置決め孔３４１を設けた回路基板３４を配置した収納空間３０１を有する。また、収納空間３０１は、回路基板３４の位置決め孔３４１と相互に嵌合し、位置決めを行なう位置決め柱３０２を一方の端部に設けている（図２参照。）。電磁操作部３０は、螺着部材３５１を挿着させる穿孔３５を有する。
【００１３】
図２〜４および図８を参照する。図８は、弁部材の動作した状態を示す断面図である。図２〜４および図８に示すように、主弁部４０は、相互に連通した中空部４０１および弁室４０２を内部に有する。中空部４０１は、第１の固定部４０１１および第２の固定部４０１２を内部に有する。
主弁部４０は、位置決め部４２を挿着する位置決め溝４１を有する。位置決め部４２は、第１の位置決め部４２１および第２の位置決め部４２２を有する。中空部４０１は、パッキング４３０を嵌合した固定部４３を有する。
固定部４３は、第１の溝穴４３１および第２の溝穴４３２を有する。第１の溝穴４３１は、固定穴４３１１を有し、第２の溝穴４３２は、貫通孔４３２１を有する。貫通孔４３２１は、弁室４０２と相互に連通している。固定部４３は、第１の溝穴４３１と第２の溝穴４３２との間に設けられた凹溝４３３を有する。固定部４３は、第１の端部４３４が位置決め部４２の第２の位置決め部４２２と相互に押し付け合い、第２の端部４３５が中空部４０１の第２の固定部４０１２と相互に押し付け合っている。主弁部４０は、弁体４４および弁体リセットスプリング４４１を弁室４０２内に有する。弁体４４は、弁体リセットスプリング４４１と弾性を持ちながら押し合い、固定部４３の第２の溝穴４３２に配置されている。主弁部４０は、保護カバー４６を設けた枢着部４５を有する。保護カバー４６は、開口部４６１を有する。保護カバー４６は、主弁部４０の枢着部４５と相互に枢着している。保護カバー４６は、主弁部４０の一方の側面に配置され、揺動させて開けることができる。主弁部４０は、電磁操作部３０の穿孔３５に対応する位置に螺孔４７を有する。螺孔４７は、電磁操作部３０の螺着部材３５１と相互に螺着している。これにより、電磁操作部３０および主弁部４０が螺着により組み合わせられる。主弁部４０は、弁室４０２と連通した内孔４０３を内部に有する。内孔４０３は、電磁操作部３０の間隙３１０と連通することができる。主弁部４０は、固定板４８を底端に有する。
【００１４】
図２〜４、図６および図７を参照する。図６は、手動制御回転つまみの動作前の状態を示す斜視図である。図７は、手動制御回転つまみの動作後に、押しつまみの位置決め棒が弁体を押し付けている状態を示す斜視図である。
図２〜４、図６および図７に示すように、手動制御つまみ５０は、回転溝５１、突起５２および嵌合部５３を有する。嵌合部５３は、一の字型に欠けた切り口５３１がある切り口５３１を有する。嵌合部５３の切り口５３１は、主弁部４０の位置決め部４２の第１の位置決め部４２１と相互に位置決めを行なう。回転溝５１は、位置決め棒５４１を延伸した押しつまみ５４を有する。位置決め棒５４１は、弾性部材５４２を嵌合している。押しつまみ５４の位置決め棒５４１は、主弁部４０の固定部４３の固定穴４３１１と相互に嵌合するように設けられている。手動制御つまみ５０は、主弁部４０の保護カバー４６と相互に押し合っているため、不注意で弁体４４に触れたとしても流路切換の誤作動を防ぎ、安全性の向上させることができる。
【００１５】
カバー６０は、中空部６１を有する。カバー６０は、電磁操作部３０および主弁部４０と連接して組み合わせる。カバー６０は、先端部６０１にカバー前部６２を有し、回路基板３４に灰塵が付着するのを防ぐことができる。
【００１６】
図５〜７を参照する。図５は、本考案の一実施形態による電磁弁の動作状態を示す断面図である。図５に示すように、本考案の電磁弁をユーザーがテストする場合、あらかじめ通電する必要がなく、弁体４４を固定部４３に押し付けるだけで貫通孔４３２１がポートＰを閉鎖し、ポートＡおよびポートＥを弁室４０２を介して連通させることができる。
図６および図７に示すように、弁体４４で流路を切り換える場合、手動制御つまみ５０を押して操作する。手動制御つまみ５０には、回しやすいように突起５２が設けられている。嵌合部５３には、切り口５３１が設けられているため、手動制御つまみ５０を一定の角度まで回すと、押しつまみ５４の位置決め棒５４１上に設けた弾性部材５４２が固定部４３の第１の溝穴４３１と相互に押し合い、手動制御つまみ５０に反対方向の弾性を与え、手動制御つまみ５０の嵌合部５３が固定部４３の第１の位置決め部４２１と相互に嵌合する。
また、嵌合部５３の切り口５３１により手動制御つまみ５０が変位差を起こすため、手動制御つまみ５０を押すことにより押しつまみ５４の位置決め棒５４１が連動して弁体４４と押し合い、流路切換が行なわれる。
これと反対の場合は、図８に示すように、手動制御つまみ５０を押すと、押しつまみ５４の位置決め棒５４１が連動して弁体４４を押し付ける。これにより、弁体４４がポートＥを閉鎖し、ポートＰおよびポートＡが固定部４３の貫通孔４３２１および凹溝４３３により弁室４０２と連通して流路切換が行なわれる。以上のように、電磁弁による弁体の作動をユーザーがテストする場合、あらかじめ通電する必要がなく、非常に便利である。
【００１７】
図９を参照する。図９は、電磁弁のカバーを示す斜視図である。図９に示すように、主弁部４０は、保護カバー４６を設けた枢着部４５を有する。保護カバー４６は、開口部４６１を有する。保護カバー４６は、主弁部４０の枢着部４５と相互に枢着しているため、回動して開くことができる。保護カバー４６の開口部４６１を介して外部から工具７０を挿入して使用する。そのため、不注意に手動制御つまみ５０に触れたとしても誤作動を起こすことを防ぐことができる。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
（従来技術）
１０  主弁部
１１  弁室
１２  供給孔
１３  排出孔
２０  電磁操作部
２１  中空筒体
２２  磁性板
２３  ソレノイドカバー
２４  固定鉄心
２５  可動鉄心
２６  スプリング座部
２７  押し棒
２８  弁座
１０１  弁室
１１１  弁体リセットスプリング
２１１  コイル
２１２  内孔
２６１  鉄心リセットスプリング
Ａ  Ａポート
Ｅ  Ｅポート
Ｐ  Ｐポート
（本考案）
３０  電磁操作部
３１  中空筒体
３２  固定鉄心
３３  可動鉄心
３４  回路基板
３５  穿孔
４０  主弁部
４１  位置決め溝
４２  位置決め部
４３  固定部
４４  弁体
４５  枢着部
４６  保護カバー
４７  螺孔
４８  固定板
５０  手動制御つまみ
５１  回転溝
５２  突起
５３  嵌合部
５４  押しつまみ
６０  カバー
６１  中空部
６２  カバー前部
７０  工具
３０１  収納空間
３０２  位置決め柱
３１０  間隙
３１１  コイル
３３１  凹溝
３３２  弾性部材
３４１  位置決め孔
３５１  螺着部材
４０１  中空部
４０２  弁室
４０３  内孔
４２１  第１の位置決め部
４２２  第２の位置決め部
４３０  パッキング
４３１  第１の溝穴
４３２  第２の溝穴
４３３  凹溝
４３４  第１の端部
４３５  第２の端部
４４１  弁体リセットスプリング
４６１  開口部
５３１  切り口
５４１  位置決め棒
５４２  弾性部材
６０１  先端部
４０１１  第１の固定部
４０１２  第２の固定部
４３１１  固定穴
４３２１  貫通孔
Ａ  Ａポート
Ｅ  Ｅポート
Ｐ  Ｐポート
【図１】
0003188911.tif 000003
【図２】
0003188911.tif 000004
【図３】
0003188911.tif 000005
【図４】
0003188911.tif 000006
【図５】
0003188911.tif 000007
【図６】
0003188911.tif 000008
【図７】
0003188911.tif 000009
【図８】
0003188911.tif 000010
【図９】
0003188911.tif 000011